(57)【要約】  第１のトランジスタ（ＴＲ１）は、電流路が通信線に直列に接続されている。電流制限制御部（２３１）は、第１のトランジスタ（ＴＲ１）の電流路に流れる電流が設定電流以上となったときに、電流路の抵抗値が増加するように、第１のトランジスタ（ＴＲ１）を制御することにより電流路に流れる電流を制限する。負荷制限部（２３２）は、第１のトランジスタ（ＴＲ１）の電流路の両端間の電圧が設定電圧以上となったときに、第１のトランジスタ（ＴＲ１）をオフさせる。
2014184878.tif 000002
【特許請求の範囲】
【請求項１】
電流を流す通信線、電力を伝送する電源線、および前記電流を流し且つ前記電力を伝送する共用線からなる接続線で主空調機と従空調機とが互いに接続されており、前記通信線を流れる電流のオン・オフの切り換えで生成される信号で前記主空調機と前記従空調機との双方向通信を実現する空調システムの保護装置であって、
電流路が前記通信線に直列に接続された第１のトランジスタと、
前記第１のトランジスタの電流路に流れる電流が設定電流以上となったときに、前記電流路の抵抗値が増加するように、前記第１のトランジスタを制御することにより前記電流路に流れる電流を制限する電流制限制御部と、
前記第１のトランジスタの電流路の両端間の電圧が設定電圧以上となったときに、前記第１のトランジスタをオフさせる電流遮断制御部と、
を備え、前記通信線に過電流が流れることを防止する保護装置。
【請求項２】
前記電流遮断制御部は、前記第１のトランジスタの電流路の両端間の電圧に対応する電圧が印加され、前記両端間の電圧が設定電圧以上になったときにオンすることにより、前記第１のトランジスタの電流路の抵抗値を制御する制御端子間に印加される電圧を降下させて、前記第１のトランジスタをオフさせる第２のトランジスタから構成されている、
請求項１に記載の保護装置。
【請求項３】
前記第２のトランジスタは、電流路の一端が前記第１のトランジスタの電流路の一端に接続され、電流路の他端が前記第１のトランジスタの電流路の抵抗値を制御する制御端子に接続され、前記第１のトランジスタの電流路の両端間の電圧に対応する電圧が第２のトランジスタを制御する制御端子間に印加され、前記第１のトランジスタの電流路の両端間に発生した電圧が設定電圧以上になったときにオンすることにより、前記第１のトランジスタの制御端子間に印加される電圧を降下させて、前記第１のトランジスタをオフさせる、
請求項２に記載の保護装置。
【請求項４】
前記電流制限制御部は、前記第１のトランジスタの電流路に流れる電流に対応する電圧が印加され、前記第１のトランジスタの電流路に流れる電流が設定電流以上になったときにオンすることにより、前記第１のトランジスタの電流路の抵抗値を制御する制御端子間に印加される電圧を降下させて、前記第１のトランジスタの電流路の抵抗値を増加させる第３のトランジスタから構成されている、
請求項３に記載の保護装置。
【請求項５】
前記電流制限制御部は、前記第１のトランジスタの電流路に流れる電流に対応する電圧を前記第３のトランジスタを制御する制御端子間に印加する抵抗を備え、
前記第３のトランジスタは、前記第１のトランジスタの電流路に流れる電流が設定電流以上になったときにオンすることにより、前記第１のトランジスタの電流路の抵抗値を制御する制御端子間に印加される電圧を降下させて、前記第１のトランジスタの電流路の抵抗値を増加させる、
請求項４に記載の保護装置。
【請求項６】
前記第２のトランジスタがオンされたときに流れる電流がフォトダイオードに導通されることで、フォトトランジスタに信号を出力させる第１のフォトカプラを備える、
請求項５に記載の保護装置。
【請求項７】
外部からの信号に応じて電流が流れるフォトダイオードおよびフォトダイオードの発光で電流路が導通され、その電流路が通信線に直列に接続されたフォトトランジスタを有する第２のフォトカプラと、
前記第２のフォトカプラのフォトトランジスタの電流路に並列に接続され、前記第２のフォトカプラのフォトトランジスタの電流路に印加される電圧を制限する電圧制限部と、
を備える請求項６に記載の保護装置。
【請求項８】
前記通信線に電源が接続された場合に形成される閉回路の回路内に配置される、
請求項７に記載の保護装置。
【請求項９】
前記保護装置は、主空調機と従空調機とに搭載される、
請求項１から８のいずれかに記載の保護装置。
【請求項１０】
電流を流す通信線、電力を伝送する電源線、および前記電流を流し且つ前記電力を伝送する共用線からなる接続線で主空調機と従空調機とが互いに接続されており、前記通信線を流れる電流のオン・オフの切り換えで生成される信号で前記主空調機と前記従空調機との双方向通信を実現する空調システムの保護装置の保護方法であって、
電流路が前記通信線に直列に接続された第１のトランジスタの前記電流路に流れる電流が設定電流以上となったときに、前記電流路の抵抗値が増加するように、前記第１のトランジスタを制御することにより前記電流路に流れる電流を制限する電流制限ステップと、
前記第１のトランジスタの電流路の両端間の電圧が設定電圧以上となったときに、前記第１のトランジスタをオフさせることにより、電流を遮断する電流遮断制御ステップと、
を含む、前記通信線に過電流が流れることを防止する保護方法。
【発明の詳細な説明】
【技術分野】
【０００１】
本発明は、保護装置および保護方法に関する。
【背景技術】
【０００２】
室外機と室内機とが分離したセパレート方式の装置（例えば空調システム）では、一般に、電源線、通信線および共用線（電力伝送用と通信用との共用の線）の３つの接続線で、室外機と室内機とが接続される。室外機および室内機は、電源線と共用線との間に接続された交流電源から電源の供給を受ける。【０００３】
また、室外機は、数十ボルト程度の直流電圧を供給する直流電源とスイッチング素子と受信素子とが直列接続された通信回路を備え、室内機は、スイッチング素子と受信素子とが直列接続された通信回路を備える。室外機に備えられた通信回路と室内機に備えられた通信回路とは、通信線と共用線との間に並列接続されることで、閉回路を形成する。そして、室外機と室内機とは、スイッチング素子のオン・オフを切り替えることで、閉回路を流れるループ電流を制御して、双方向通信を可能にしている。【０００４】
ここで、室外機と室内機との接続は、通常、室外機および室内機が設置される現場で行われる。よって、室内機または室内機への接続線の誤接続が発生し得る。交流電源から供給される交流電圧よりも低電圧で動作する通信回路の両端子（入力端子および出力端子）に、交流電源を誤接続した場合、室外機および室内機の通信回路の耐圧不足（過電圧の印加）により、或いは、室外機および室内機に過電流が流れることにより、通信回路が破壊され得る。このため、室外機および室内機には、過電圧から、或いは、過電流から通信回路を保護する保護手段が必要である。【０００５】
保護手段として正温度特性サーミスタを採用した室内調和装置が、特許文献１に記載されている。この室内調和装置の通信線に、過電流が流れた場合、過電流はサーミスタを流れる。それに伴い、サーミスタが発熱し、サーミスタの抵抗成分が増加し、過電流を制限する。【０００６】
また、電流制限用のバイポーラトランジスタとベース−エミッタ間電圧調整用のバイポーラトランジスタと電流検出用抵抗とから構成される電流制限回路を、通信回路に直列接続した通信制御装置が、特許文献２に記載されている。この通信制御装置では、飽和状態に維持された電流制限用バイポーラトランジスタのエミッタ−コレクタパスと電流検出用抵抗とから構成される直列回路が、通信回路に接続されている。通信回路に流れる電流の増加に伴って、電流検出用抵抗の電圧（両端電圧）が増加する。電流検出用抵抗の電圧が所定電圧を超えようとすると、ベース−エミッタ間電圧調整用のバイポーラトランジスタは、電流制限用のバイポーラトランジスタのベース−エミッタ間電圧を調整し、電流検出用抵抗の電圧（両端電圧）を一定に保つよう動作する。この動作で、通信回路に流れる電流の上限が制限されるので、電流制限回路は、通信回路を渦電流から保護することが可能である。
【先行技術文献】
【特許文献】
【０００７】
【特許文献１】特開平１１−１９３９５０号公報
【特許文献２】特開２００９−９７７６０号公報
【発明の概要】
【発明が解決しようとする課題】
【０００８】
特許文献１に記載の室内調和装置は、上述の通り、正温度特性サーミスタで過電流を制限している。このため、正温度特性サーミスタの動作遅れで過電流が通信回路に流れてしまう可能性がある。【０００９】
特許文献２に記載の電流制限回路は、電流制限用トランジスタを活性領域で動作させることで電流制限を実現する。よって、通信回路への交流電源の誤接続から通信回路を保護するためには、電流制限用トランジスタが、高耐圧且つ高許容コレクタ損失のトランジスタである必要がある。しかし、このようなトランジスタは、一般的に、動作速度が低速であり、高価であり、更には、部品サイズが大きくなるという問題がある。また、電流制限用トランジスタの十分な放熱を実現する回路設計が必要であるという問題がある。【００１０】
本発明は、上記実情に鑑みてなされたものであり、動作遅れが小さく、低コスト化が可能な保護装置および保護方法を提供することを目的とする。
【課題を解決するための手段】
【００１１】
上記目的を達成するために、この発明に係る、通信線に過電流が流れることを防止する保護装置は、電流を流す通信線、電力を伝送する電源線、および電流を流し且つ電力を伝送する共用線からなる接続線で主空調機と従空調機とが互いに接続されており、通信線を流れる電流のオン・オフの切り換えで生成される信号で主空調機と従空調機との双方向通信を実現する空調用通信装置に備えられる。第１のトランジスタは、電流路が通信線に直列に接続されている。電流制限制御部は、第１のトランジスタの電流路に流れる電流が設定電流以上となったときに、電流路の抵抗値が増加するように、第１のトランジスタを制御することにより電流路に流れる電流を制限する。電流遮断制御部は、第１のトランジスタの電流路の両端間の電圧が設定電圧以上となったときに、第１のトランジスタをオフさせる。
【発明の効果】
【００１２】
本発明によれば、動作遅れが小さく、低コスト化が可能である。
【図面の簡単な説明】
【００１３】
【図１】本発明の実施の形態に係る空調システムの構成図である。
【図２】図１に示す主空調機のブロック図である。
【図３】図２に示す通信用電源部の回路図である。
【図４】図２に示す主保護部の回路図である。
【図５】図２に示す主送信部の回路図である。
【図６】図２に示す主受信部の回路図である。
【図７】図１に示す従空調機のブロック図である。
【図８】図７に示す従受信部の回路図である。
【図９】図７に示す従送信部の回路図である。
【図１０】図７に示す従保護部の回路図である。
【図１１】図２に示す主保護部を電界効果トランジスタで構成した場合の回路図である。
【発明を実施するための形態】
【００１４】
以下、本発明の実施の形態に係る保護装置を備えた空調システム１０を、図面を参照して説明する。
【００１５】
本空調システム１０は、図１に示すように、１台の主空調機１１と、３台の従空調機１２と、を備えている。
【００１６】
空調システム１０は、例えば制御対象の室内の温度を制御する。主空調機１１は、例えば室外機である。従空調機１２は、例えば室内機である。
【００１７】
主空調機１１は、電力を伝送する電源線Ｌ１と、信号を伝送する（電流を流す）通信線Ｌ２と、電力と信号とを共に伝送する（電力を伝送し且つ電流を流す）共用線（グランド線）Ｌ３とからなる接続線で、従空調機１２に接続されている。
【００１８】
主空調機１１と従空調機１２とは、電源線Ｌ１および共用線Ｌ３の間に印加される商用電源ＰＳからの交流電圧で、動作する。具体的には、主空調機１１と従空調機１２とは、商用電源ＰＳから電源の供給を受けて熱交換器およびインバータ回路等の空調ユニットを動作させる。
【００１９】
主空調機１１と従空調機１２とは、通信線Ｌ２と共用線Ｌ３を介して双方向通信を行う。具体的には、主空調機１１と従空調機１２とは、通信線Ｌ２と共用線Ｌ３とを流れる信号電流Ｉｓのオン（流れる）・オフ（流れない）の切り換えで生成されるシリアル信号（空調制御情報を含む信号）により、双方向通信を行う。なお、後述するように、通信線Ｌ２を流れる信号電流Ｉｓは、主空調機１１から従空調機１２に向かう方向にのみ流れる。
【００２０】
主空調機１１は、例えば、室温、湿度、設定（目標）温度等の情報を収集し、各従空調機１２に制御コマンドをシリアル送信し、これらを制御する。
【００２１】
（主空調機１１の構成）
主空調機１１は、図２に示すように、主制御用電源部２１と、通信用電源部２２と、主保護部２３と、主送信部２４と、主受信部２５と、抵抗Ｒ１と、整流ダイオード２６と、ターミネータ部２７と、主制御部２８と、を備える。なお、主空調機１１は、例えば熱交換器等の通常の空調制御用の構成を備えるが、ここでは、本願発明に関連する通信機能と保護機能に関連する部分を中心に示している。
【００２２】
主制御用電源部２１は、電源線Ｌ１と共用線Ｌ３との間に印加される商用電源ＰＳからの交流電圧から、主制御部２８を動作させるための直流電圧を生成して、主制御部２８に供給する。
【００２３】
より具体的には、主制御用電源部２１の一方の入力端子は電源線Ｌ１に接続され、その他方の入力端子は共用線Ｌ３に接続されている。主制御用電源部２１は、両入力端子を介して、電源線Ｌ１と共通性Ｌ３との間に接続されている商用電源ＰＳから印加される交流電圧を受け、トランス、整流回路、平滑回路等により、直流電圧を生成し、グランド端子と、主制御部２８に接続された出力端子との間に出力する。なお、トランスを使用する場合には、電源側と負荷側とを絶縁できる絶縁トランスを使用することが望ましい。
【００２４】
通信用電源部２２は、商用電源ＰＳから供給される交流電圧から、シリアル通信用の信号電流Ｉｓを形成するための通信電圧（例えば、２４ボルトの直流電圧）を生成する。
【００２５】
通信用電源部２２は、例えば、図３に示すように、抵抗Ｒ２と、整流ダイオード２２１と、ツェナーダイオード２２２と、コンデンサ２２３と、を備える半波整流回路から構成されている。
【００２６】
抵抗Ｒ２の一端は、通信用電源部２２の一方の入力端子を介して、電源線Ｌ１に接続され、抵抗Ｒ２の他端は、整流ダイオード２２１のアノードに接続されている。整流ダイオード２２１のカソードは、ツェナーダイオード２２２のカソード、コンデンサ２２３の一端および端子ＴＰ１に接続されている。
【００２７】
ツェナーダイオード２２２のアノードおよびコンデンサ２２３の他端は、通信用電源部２２の他方の入力端子を介して、共用線Ｌ３に接続されている。
【００２８】
抵抗Ｒ２と整流ダイオード２２１は、電源線Ｌ１と共用線Ｌ３を介して商用電源ＰＳから供給される交流電圧を半波整流する。
【００２９】
ツェナーダイオード２２２は、整流された半波の電圧値を、通信電圧にクリップする。コンデンサ２２３は、通信電圧にクリップされた半波を平滑化する。コンデンサ２２３の保持電圧（通信電圧）が、端子ＴＰ１を介して、主保護部２３と共用線間Ｌ３間に出力される。
【００３０】
図２に示す主保護部２３は、商用電源ＰＳが誤って通信線Ｌ２と共用線Ｌ３との間に接続された場合に、過電流が、通信線Ｌ２を流れて、主送信部２４および主受信部２５からなる通信回路に流れることを防止する。また、主保護部２３は、商用電源ＰＳが誤って通信線Ｌ２と共用線Ｌ３との間に接続された場合の過電圧から、通信回路（主送信部２４および主受信部２５）を保護する。
【００３１】
主保護部２３は、図４に示すように、電流制限制御部２３１と、負荷制限部２３２と、誤接続検出部２３３と、抵抗Ｒ６と、から構成されている。
【００３２】
電流制限制御部２３１は、通信線Ｌ２と共用線Ｌ３とを流れる信号電流Ｉｓ（通信回路を流れる信号電流Ｉｓ）の最大値を制限するものであり、抵抗Ｒ３と、ＰＮＰ型のトランジスタＴＲ２と、整流ダイオードＤ１と、から構成されている。
【００３３】
また、整流ダイオードＤ１に接続されているＰＮＰ型のトランジスタＴＲ１は、エミッタ−コレクタパス（電流路）が通信線Ｌ２に直列に接続されている。
【００３４】
抵抗Ｒ３の一端およびトランジスタＴＲ１のエミッタは、端子ＴＰ２を介して、通信用電源部２２の端子ＴＰ１（出力端子）に接続されている。抵抗Ｒ３の他端およびトランジスタＴＲ１のベースは、整流ダイオードＤ１のアノードおよび負荷制限部２３２に接続されている。
【００３５】
整流ダイオードＤ１のカソードは、トランジスタＴＲ２のエミッタに接続されている。トランジスタＴＲ２のコレクタは、端子ＴＰ３を介して、主送信部２４に接続されている。
【００３６】
トランジスタＴＲ２のベースは、トランジスタＴＲ１のコレクタと、誤接続検出部２３３と、抵抗Ｒ６の一端に接続されている。抵抗Ｒ６の他端は、共用線Ｌ３に接続されている。
【００３７】
商用電源ＰＳが電源線Ｌ１と共用線Ｌ３との間に接続されると、通信用電源部２２の端子ＴＰ２から通信電圧が出力される。この状態で、後述するように、主送信部２４がオン状態になると、信号電流Ｉｓは、通信用電源部２２  →  端子ＴＰ２  →  抵抗Ｒ３  →  整流ダイオードＤ１  →  トランジスタＴＲ１のエミッタ−コレクタパス（電流路）  →  端子ＴＰ３  →  主送信部２４に流れる。この状態は正常な状態である。
【００３８】
一方、何らかの原因で（例えば、商用電源ＰＳが誤って通信線Ｌ２と共用線Ｌ３との間に誤接続された場合等で）、信号電流Ｉｓが増加すると、その増加に伴い、抵抗Ｒ３での電圧降下が増大する。このとき、トランジスタＴＲ２は、抵抗Ｒ３の両端電圧がトランジスタＴＲ２のベース−エミッタ間電圧のオン電圧と均衡状態を保つように、トランジスタＴＲ２のコレクタ−エミッタ間電圧を変化させて、トランジスタＴＲ１のベース−エミッタ間電圧の調整を行う。このため、主送信部２４に流れる信号電流Ｉｓの上限を制限できる。
【００３９】
電流制限制御部２３１が信号電流Ｉｓの上限を制限している間、トランジスタＴＲ１が活性領域で動作するため、トランジスタＴＲ１が飽和領域で動作している場合に比べ、トランジスタＴＲ１のコレクタ−エミッタ間電圧が高くなる。そして、トランジスタＴＲ１のコレクタ−エミッタ間電圧とトランジスタＴＲ１のコレクタ電流（信号電流Ｉｓ）との積算値に相当するコレクタ損失が、トランジスタＴＲ１に発生する。商用電源ＰＳから供給される交流電圧のような高電圧が通信線Ｌ２と共用線Ｌ３との間に印加された場合、トランジスタＴＲ１に発生するコレクタ損失は非常に大きくなる。このため、トランジスタＴＲ１には、高価且つ部品サイズが大きく、高耐圧・高許容コレクタ損失が要求される。
【００４０】
この問題を解決するために、負荷制限部２３２が主保護部２３に設けられている。負荷制限部２３２は、トランジスタＴＲ１のエミッタ−コレクタ間の電圧が設定値以上になると、トランジスタＴＲ１をオフすることにより、トランジスタＴＲ１のコレクタ損失を抑制する。
【００４１】
なお、本実施の形態では、負荷制限部２３２は、トランジスタＴＲ１のエミッタ−コレクタ間の電圧が設定値以上になると、トランジスタＴＲ１をオフしたが、これに限られず、例えば、端子ＴＰ２と端子ＴＰ３との間の電圧が基準値以上になり、トランジスタＴＲ１のエミッタ−コレクタ間の電圧が設定値以上になると、トランジスタＴＲ１をオフしてもよい。また、負荷制限部２３２は、例えば、端子ＴＰ４と端子ＴＰ７との間の電圧が基準値以上になり、トランジスタＴＲ１のエミッタ−コレクタ間の電圧が設定値以上になると、トランジスタＴＲ１をオフしてもよい。
【００４２】
負荷制限部２３２は、ＰＮＰ型のトランジスタＴＲ３と、抵抗Ｒ４，Ｒ５と、から構成されている。トランジスタＴＲ３は、抵抗Ｒ４と抵抗Ｒ５との直列抵抗の両端電圧の過電圧検出を行うことで、トランジスタＴＲ１のコレクタ損失を抑制する。
【００４３】
抵抗Ｒ４の一端は、トランジスタＴＲ３のエミッタ、抵抗Ｒ３の他端、トランジスタＴＲ２のベースおよび整流ダイオードＤ１のアノードに接続されている。
【００４４】
抵抗Ｒ４の他端は、トランジスタＴＲ３のベースおよび抵抗Ｒ５の一端に接続されている。抵抗Ｒ５の他端は、トランジスタＴＲ１のコレクタに接続されている。また、トランジスタＴＲ３のコレクタは、誤接続検出部２３３に接続されている。
【００４５】
抵抗Ｒ４と抵抗Ｒ５との直列抵抗には、整流ダイオードＤ１の順方向電圧とトランジスタＴＲ１のコレクタ−エミッタ間電圧とを足した電圧が印加される。
【００４６】
この回路において、電流制限制御部２３１が信号電流Ｉｓの上限を制限すると、抵抗Ｒ４と抵抗Ｒ５との直列抵抗の両端電圧が上昇する。そして、この両端電圧の分圧電圧である抵抗Ｒ４の両端電圧が、トランジスタＴＲ３のベース−エミッタ間のオン電圧（約０．６ボルト）を超えると、トランジスタＴＲ３がオンし、そのエミッタ−コレクタ間が導通状態になる。
【００４７】
これにより、トランジスタＴＲ１のベース−エミッタ間電圧が降下し、トランジスタＴＲ１が遮断状態になり、トランジスタＴＲ１のコレクタ電流（信号電流Ｉｓ）が遮断される。これにより、トランジスタＴＲ１の許容コレクタ損失を、負荷制限部２３２を設けない場合と比較して抑制することができる。よって、安価な低許容コレクタ損失のトランジスタをトランジスタＴＲ１に用いることができる。
【００４８】
誤接続検出部２３３は、抵抗Ｒ４と抵抗Ｒ５との直列抵抗の両端電圧が所定値以上の場合に流れるトランジスタＴＲ３のコレクタ電流を検出し、検出信号（商用電源ＰＳが誤接続されていることを示す信号）を、主制御部２８に伝達する。これにより、主制御部２８は、誤接続により通信回路（主送信部２４および主受信部２５）に過電圧が印加されたことを検知できる。
【００４９】
誤接続検出部２３３は、フォトダイオード２３３ａとフォトトランジスタ２３３ｂとから構成されたフォトカプラから構成されている。フォトダイオード２３３ａのアノードは、トランジスタＴＲ３のコレクタに接続され、カソードは、トランジスタＴＲ２のコレクタと、トランジスタＴＲ１のベースと、抵抗Ｒ６の一端に接続されている。
【００５０】
一方、フォトトランジスタ２３３ｂは、その電流路の一端が主制御部２８の端子ＴＡに接続され、電流路の他端が接地されている。
【００５１】
上述したように、抵抗Ｒ４の両端電圧が、トランジスタＴＲ３のベース−エミッタ間のオン電圧を超えると、トランジスタＴＲ３のエミッタ−コレクタ間が導通する。このとき、トランジスタＴＲ３のエミッタ−コレクタパスを流れた電流は、フォトダイオード２３３ａを流れ、フォトダイオード２３３ａを点灯させる。
【００５２】
これにより、フォトトランジスタ２３３ｂがオンし、エミッタ−コレクタパスを導通させる。このため、主制御部２８の端子ＴＡが接地される。これにより、主制御部２８は、商用電源ＰＳが誤接続されていることを検出する。
【００５３】
図２に示す主送信部２４は、主制御部２８の端子ＴＢから出力される電圧信号に応答して、信号電流Ｉｓのオン（流れる）・オフ（流れない）を切り換える。
【００５４】
主送信部２４は、図５に示すように、ツェナーダイオード２４１と、フォトカプラ２４２と、から構成されている。
【００５５】
ツェナーダイオード２４１のカソードは、主保護部２３およびフォトカプラ２４２のフォトトランジスタ２４２ｂの電流路の一端に接続されている。ツェナーダイオード２４１のアノードは、フォトトランジスタ２４２ｂの電流路の他端および主受信部２５に接続されている。
【００５６】
フォトダイオード２４２ａのアノードは、主制御部２８の端子ＴＢに接続され、フォトダイオード２４２ａのカソードは、グランドされている。
【００５７】
主制御部２８が、端子ＴＢの電圧信号をハイレベルにすると、フォトダイオード２４２ａに電流が流れる。これにより、フォトダイオード２４２ａは発光する。
【００５８】
フォトダイオード２４２ａからの光により、フォトトランジスタ２４２ｂが導通状態になる。このため、信号電流Ｉｓが、通信用電源部２２  →  主保護部２３→  端子ＴＰ４  →  フォトトランジスタ２４２ｂ  →  端子ＴＰ５  →  主受信部２５  →  通信線Ｌ２と流れる。
【００５９】
また、主制御部２８が、端子ＴＢの電圧信号をローレベルにすると、フォトダイオード２４２ａに電流が流れなくなる。すると、フォトトランジスタ２４２ｂがオフし、
信号電流Ｉｓは遮断される。
【００６０】
こうして、主制御部２８は、端子ＴＢの電圧信号を制御することにより、信号電流Ｉｓを生成することができる。
【００６１】
また、商用電源ＰＳが誤って通信線Ｌ２と共用線Ｌ３との間に接続された場合等、通信回路（主送信部２４および主受信部２５）に大きな電圧が印加された場合、フォトトランジスタ２４２ｂが遮断状態であれば、フォトトランジスタ２４２ｂに過電圧が印加されて、フォトトランジスタ２４２ｂが故障する。これを防止するため、フォトトランジスタ２４２ｂにツェナーダイオード２４１を並列接続することで、フォトトランジスタ２４２ｂの耐圧保護を実現する。また、この他にも、ツェナーダイオード２４１を用いずに、高コレクタ耐圧のフォトトランジスタを、フォトトランジスタ２４２ｂに用いてもよい。
【００６２】
図２に示す主受信部２５は、信号電流Ｉｓの有無を検出することで受信信号を生成し、主制御部２８に伝達する。
【００６３】
主受信部２５は、図６に示すように、例えばフォトカプラ２５１から構成される。フォトカプラ２５１を構成するフォトダイオード２５１ａのアノードが、端子ＴＰ６を介して、主送信部２４に接続され、そのカソードが、端子ＴＰ７を介して、抵抗Ｒ１の一端に接続される。
【００６４】
フォトトランジスタ２５１ｂの電流路の一端が、主制御部２８の端子ＴＣに接続され、電流路の他端がグランドされている。主制御部２８の端子ＴＣは、プルアップされている。
【００６５】
フォトダイオード２５１ａに信号電流Ｉｓが流れると、フォトダイオード２５１ａは発光し、フォトトランジスタ２５１ｂをオンさせる。これにより、フォトトランジスタ２５１ｂの電流路が導通し、ローレベルの受信信号が生成される。
【００６６】
一方、信号電流Ｉｓが流れなくなると、フォトダイオード２５１ａが消灯し、フォトトランジスタ２５１ｂはオフする。これにより、ハイレベルの受信信号が生成される。
【００６７】
図２に示す抵抗Ｒ１は、従空調機１２の抵抗Ｒ７と共に信号電流Ｉｓの最大値を決定する制限抵抗である。抵抗Ｒ１の一端は、主受信部２５の端子ＴＰ７に接続されている。抵抗Ｒ１の他端は、整流ダイオード２６のアノードに接続されている。
【００６８】
整流ダイオード２６は、通信線Ｌ２から抵抗Ｒ１に向けて流れる逆電流を遮断する。
【００６９】
ターミネータ部２７は、コンデンサ等から構成され、通信線Ｌ２−共用線Ｌ３間のインピーダンスを低減し、通信線Ｌ２上のノイズ成分を共用線Ｌ３に流す。これにより、誘導ノイズ等の信号電流Ｉｓへの重畳を抑え、信号電流Ｉｓを安定化できる。
【００７０】
主制御部２８は、主制御用電源部２１から供給される動作電源により動作するプロセッサ等から構成され、主空調器１１の通常の空調動作の制御を行う。また、主制御部２８は、従空調機１２との間で、信号電流Ｉｓを用いたシリアル信号の送受信を行う。
【００７１】
また、主制御部２８は、誤接続検出部２３３の検出信号に基づいた制御処理を実行する。主制御部２８は、例えば、検出信号を受け付けた場合に、主空調機１１に設けられたランプを点灯させる。これにより、主空調機１１を設置する設置者は、商用電源ＰＳが誤接続されたことを把握することが可能である。
【００７２】
（従空調機１２の構成）
次に、図１に示す従空調機１２の構成を説明する。各従空調機１２は、それぞれ、図７に示すように、従制御用電源部３１と、整流ダイオード３２，３６と、抵抗Ｒ７と、従受信部３３と、従送信部３４と、従保護部３５と、従制御部３７と、を備える。なお、各従空調機１２は、通常の空調制御用の構成を備えるが、ここでは、本願発明に関連する通信機能と保護機能に関連する部分を中心に示している。
【００７３】
従制御用電源部３１は、電源線Ｌ１と共用線Ｌ３との間に印加される商用電源ＰＳからの交流電圧から、従制御部３７を動作させるための直流電圧を生成して、従制御部３７に供給する。
【００７４】
より具体的には、従制御用電源部３１の一方の入力端子は電源線Ｌ１に接続され、その他方の入力端子は共用線Ｌ３に接続されている。従制御用電源部３１は、両入力端子を介して、電源線Ｌ１と共通性Ｌ３との間に接続されている商用電源ＰＳから印加される交流電圧を受け、トランス、整流回路、平滑回路等により、直流電圧を生成し、グランド端子と、従制御部３７に接続された出力端子との間に出力する。なお、トランスを使用する場合には、電源側と負荷側とを絶縁できる絶縁トランスを使用することが望ましい。
【００７５】
整流ダイオード３２，３６は、従受信部３３および従送信部３４を逆電圧から保護する。
【００７６】
整流ダイオード３２のアノードは、通信線Ｌ２に接続され、整流ダイオード３２のカソードは、抵抗Ｒ７の一端、整流ダイオード３６のカソードおよび従保護部３５の端子ＳＰ６に接続されている。整流ダイオード３６のアノードは、共用線Ｌ３および従保護部３５の端子ＳＰ７に接続されている。
【００７７】
抵抗Ｒ７は、信号電流Ｉｓの大きさを決定する。抵抗Ｒ７の一端は、整流ダイオード３２，３６のカソードおよび従保護部３５の端子ＳＰ６に接続されている。抵抗Ｒ７の他端は、従受信部３３に接続されている。
【００７８】
従受信部３３は、信号電流Ｉｓの有無を検出することで受信信号を生成し、従制御部３７に伝達する。図８に示すフォトカプラ３３１を用いた従受信部３３の場合、従受信部３３は、フォトカプラ３３１に信号電流Ｉｓが流れていればローレベルの受信信号を、フォトカプラ３３１に信号電流Ｉｓが流れていなければハイレベルの受信信号を、従制御部３７に出力する。
【００７９】
従受信部３３は、図８に示すように、例えばフォトカプラ３３１から構成される。フォトカプラ３３１を構成するフォトダイオード３３１ａのアノードが、端子ＳＰ１を介して、抵抗Ｒ７の他端に接続され、そのカソードが、端子ＳＰ２を介して、従送信部３４に接続される。
【００８０】
フォトトランジスタ３３１ｂの電流路の一端が、従制御部３７の端子ＳＡに接続され、電流路の他端がグランドされている。
【００８１】
図７に示す従送信部３４は、従制御部３７が端子ＳＢを介して出力するシリアル信号に基づいて、通信線Ｌ２を流れる信号電流Ｉｓのオン（流れる）・オフ（流れない）を切り換える。
【００８２】
従送信部３４は、図９に示すように、ツェナーダイオード３４１と、フォトカプラ３４２と、から構成されている。
【００８３】
ツェナーダイオード３４１のカソードは、端子ＳＰ３およびフォトカプラ３４２のフォトトランジスタ３４２ｂの電流路の一端に接続されている。ツェナーダイオード３４１のアノードは、フォトトランジスタ３４２ｂの電流路の他端および主受信部２５に接続されている。
【００８４】
フォトダイオード３４２ａのアノードは、従制御部３７の端子ＳＢに接続され、フォトダイオード３４２ａのカソードは、グランドされている。
【００８５】
従制御部３７が、端子ＳＢの電圧信号をハイレベルにすると、フォトダイオード３４２ａに電流が流れる。これにより、フォトダイオード３４２ａは発光する。
【００８６】
フォトダイオード３４２ａからの光により、フォトトランジスタ３４２ｂが導通状態になる。このため、信号電流Ｉｓが、通信線Ｌ２  →  従受信部３３  →  端子ＳＰ２  →  端子ＳＰ３  →  フォトトランジスタ３４２ｂ  →  端子ＳＰ４  →  従保護部３５  →  共用線Ｌ３と流れる。
【００８７】
また、従制御部３７が、端子ＳＢの電圧信号をローレベルにすると、フォトダイオード３４２ａに電流が流れなくなる。すると、フォトトランジスタ３４２ｂがオフし、
信号電流Ｉｓは遮断される。
【００８８】
こうして、従制御部３７は、端子ＳＢの電圧信号を制御することにより、信号電流Ｉｓを生成することができる。
【００８９】
また、商用電源ＰＳが誤って通信線Ｌ２と共用線Ｌ３との間に接続された場合等、通信回路（従受信部３３および従送信部３４）に大きな電圧が印加された場合、フォトトランジスタ３４２ｂが遮断状態であれば、フォトトランジスタ３４２ｂに過電圧が印加されて、フォトトランジスタ３４２ｂが故障する。これを防止するため、フォトトランジスタ３４２ｂにツェナーダイオード３４１を並列接続することで、フォトトランジスタ３４２ｂの耐圧保護を実現する。また、この他にも、ツェナーダイオード３４１を用いずに、高コレクタ耐圧のフォトトランジスタを、フォトトランジスタ３４２ｂに用いてもよい。
【００９０】
図７に示す従保護部３５は、商用電源ＰＳが誤って通信線Ｌ２と共用線Ｌ３との間に接続された場合の過電圧および過電流から、従受信部３３および従送信部３４を保護する。
【００９１】
従保護部３５は、図１０に示すように、電流制限制御部３５１と、負荷制限部３５２と、誤接続検出部３５３と、抵抗Ｒ８と、から構成されている。
【００９２】
電流制限制御部３５１は、従受信部３３および従送信部３４に流れる信号電流Ｉｓの最大値を制限するものであり、ＮＰＮ型のトランジスタＴＲ５と、整流ダイオードＤ２と、抵抗Ｒ９と、から構成されている。
【００９３】
また、整流ダイオードＤ２に接続されているＮＰＮ型のトランジスタＴＲ４は、エミッタ−コレクタパス（電流路）が通信線Ｌ２に直列に接続されている。
【００９４】
抵抗Ｒ９の一端およびトランジスタＴＲ５のエミッタは、端子ＳＰ７を介して、整流ダイオード３６のアノードおよび共用線Ｌ３に接続されている。抵抗Ｒ９の他端およびトランジスタＴＲ５のベースは、整流ダイオードＤ２のカソード、負荷制限部３５２に接続されている。
【００９５】
整流ダイオードＤ２のアノードは、トランジスタＴＲ４のエミッタに接続されている。トランジスタＴＲ４のコレクタは、端子ＳＰ５を介して、従送信部３４に接続されている。また、トランジスタＴＲ４のコレクタは、負荷制限部３５２に接続されている。
【００９６】
トランジスタＴＲ４のベースは、トランジスタＴＲ５のコレクタと、誤接続検出部３５３と、抵抗Ｒ８の一端に接続されている。抵抗Ｒ８の他端は、端子ＳＰ６を介して、整流ダイオード３２のカソード、抵抗Ｒ７の一端および整流ダイオード３６のカソードに接続されている。
【００９７】
商用電源ＰＳが電源線Ｌ１と共用線Ｌ３との間に接続され、従送信部３４がオン状態になると、信号電流Ｉｓは、端子ＳＰ５  →  トランジスタＴＲ４のエミッタ−コレクタパス  →  整流ダイオードＤ２  →  抵抗Ｒ９  →  端子ＳＰ７→  共用線Ｌ３と流れる。この状態は正常な状態である。
【００９８】
商用電源ＰＳが誤って通信線Ｌ２と共用線Ｌ３との間に接続されたことにより、信号電流Ｉｓが所定値以上に増大すると、トランジスタＴＲ５は、抵抗Ｒ９の両端電圧の両端電圧がトランジスタＴＲ５のオン電圧（約０．６ボルト）と均衡状態を保つように、コレクタ−エミッタ間電圧を変化させる。これにより、トランジスタＴＲ５は、トランジスタＴＲ４のベース−エミッタ間電圧を調整する。このようにして、通信回路（従受信部３３および従送信部３４）を流れる電流Ｉｓの上限を制限でき、通信回路を渦電流から保護できる。
【００９９】
上述の電流制限制御部３５１が、信号電流Ｉｓの上限を制限している間、トランジスタＴＲ４は活性領域で動作するため、トランジスタＴＲ４のコレクタ−エミッタ間電圧が、飽和領域で動作していない場合に比べて（信号電流Ｉｓの上限が制限されない場合に比べて）、大きくなる。そして、トランジスタＴＲ４のコレクタ−エミッタ間電圧とトランジスタＴＲ４のコレクタ電流（信号電流Ｉｓ）との積算値に相当するコレクタ損失が、トランジスタＴＲ４に発生する。商用電源ＰＳから供給される電圧のような高電圧が通信線Ｌ２と共用線Ｌ３との間に印加された場合、トランジスタＴＲ４に発生するコレクタ損失は非常に大きくなる。このため、トランジスタＴＲ４には、高価且つ部品サイズが大きく、高耐圧・高許容コレクタ損失が要求される。
【０１００】
この問題を解決するために、負荷制限部３５２が従保護部３５に設けられている。負荷制限部３５２は、トランジスタＴＲ４のエミッタ−コレクタ間の電圧が設定値以上になると、トランジスタＴＲ４をオフすることにより、トランジスタＴＲ４のコレクタ損失を抑制する。
【０１０１】
なお、本実施の形態では、負荷制限部３５２は、トランジスタＴＲ４のエミッタ−コレクタ間の電圧が設定値以上になると、トランジスタＴＲ４をオフしたが、これに限られず、例えば、端子ＳＰ５と端子ＳＰ７との間の電圧が基準値以上になり、トランジスタＴＲ４のエミッタ−コレクタ間の電圧が設定値以上になると、トランジスタＴＲ４をオフしてもよい。また、負荷制限部３５２は、例えば、端子ＳＰ１と端子ＳＰ４との間の電圧が基準値以上になり、トランジスタＴＲ４のエミッタ−コレクタ間の電圧が設定値以上になると、トランジスタＴＲ４をオフしてもよい。
【０１０２】
負荷制限部３５２は、ＮＰＮ型のトランジスタＴＲ６と、抵抗Ｒ１０，Ｒ１１と、から構成されている。トランジスタＴＲ６は、抵抗Ｒ１０と抵抗Ｒ１１との直列抵抗の両端電圧の過電圧検出を行うことで、トランジスタＴＲ４のコレクタ損失を抑制する。
【０１０３】
抵抗Ｒ１０の一端は、トランジスタＴＲ６のエミッタ、抵抗Ｒ９の他端、トランジスタＴＲ５のベースおよび整流ダイオードＤ２のカソードに接続されている。
【０１０４】
抵抗Ｒ１０の他端は、トランジスタＴＲ６のベースおよび抵抗Ｒ１１の一端に接続されている。抵抗Ｒ１１の他端は、トランジスタＴＲ４のコレクタに接続されている。また、トランジスタＴＲ６のコレクタは、誤接続検出部３５３に接続されている。
【０１０５】
抵抗Ｒ１０と抵抗Ｒ１１との直列抵抗には、整流ダイオードＤ２の順方向電圧とトランジスタＴＲ４のコレクタ−エミッタ間電圧とを足した電圧が印加される。
【０１０６】
この回路において、電流制限制御部３５１が信号電流Ｉｓの上限を制限すると、抵抗Ｒ１０と抵抗Ｒ１１との直列抵抗の両端電圧が上昇する。そして、この両端電圧の分圧電圧である抵抗Ｒ１０の両端電圧が、トランジスタＴＲ６のベース−エミッタ間のオン電圧（約０．６ボルト）を超えると、トランジスタＴＲ６がオンし、そのエミッタ−コレクタ間が導通状態になる。
【０１０７】
これにより、トランジスタＴＲ４のベース−エミッタ間の電圧が降下し、トランジスタＴＲ４が遮断状態になり、トランジスタＴＲ４のコレクタ電流（信号電流Ｉｓ）が遮断される。これにより、トランジスタＴＲ４の許容コレクタ損失を、負荷制限部３５２を設けない場合と比較して抑制することができる。よって、安価な低許容コレクタ損失のトランジスタをトランジスタＴＲ４に用いることができる。
【０１０８】
誤接続検出部３５３は、抵抗Ｒ１０と抵抗Ｒ１１との直列抵抗の両端電圧が所定値以上の場合に流れるトランジスタＴＲ６のコレクタ電流を検出し、検出信号（商用電源ＰＳが誤接続されていること示す信号）を、従制御部３７に伝達する。これにより、従制御部３７は、誤接続により通信回路（従受信部３３および従送信部３４）に過電圧が印加されたことを検知できる。
【０１０９】
誤接続検出部３５３は、フォトダイオード３５３ａとフォトトランジスタ３５３ｂとから構成されたフォトカプラから構成されている。フォトダイオード３５３ａのカソードは、トランジスタＴＲ６のコレクタに接続され、そのアノードは、トランジスタＴＲ４のベースと、トランジスタＴＲ５のコレクタと、抵抗Ｒ８の一端に接続されている。
【０１１０】
一方、フォトトランジスタ３５３ｂは、その電流路の一端が従制御部３７の端子ＳＣに接続され、その電流路の他端が接地されている。
【０１１１】
上述したように、抵抗Ｒ１０の両端電圧が、トランジスタＴＲ６のベース−エミッタ間のオン電圧を超えると、トランジスタＴＲ６のエミッタ−コレクタ間が導通する。このとき、トランジスタＴＲ６のエミッタ−コレクタパスを流れた電流は、フォトダイオード３５３ａを流れ、フォトダイオード３５３ａを点灯させる。
【０１１２】
これにより、フォトトランジスタ３５３ｂがオンし、エミッタ−コレクタパスを導通させる。このため、従制御部３７の端子ＳＣが接地される。これにより、従制御部３７は、商用電源ＰＳが誤接続されていることを検出する。
【０１１３】
従制御部３７は、従制御用電源部３１から供給される動作電源により動作するプロセッサ等から構成され、従空調器１２の通常の空調動作の制御を行う。また、従制御部３７は、主空調機１１との間で、信号電流Ｉｓを用いたシリアル信号の送受信を行う。
【０１１４】
また、従制御部３７は、誤接続検出部３５３の検出信号に基づいた制御処理を実行する。従制御部３７は、例えば、検出信号を受け付けた場合に、主空調機１２に設けられたランプを点灯させる。これにより、主空調機１２を設置する設置者は、商用電源ＰＳが誤接続されたことを把握することが可能である。
【０１１５】
（シリアル信号の送受信）
上述した主空調機１１および従空調機１２のシリアル信号の送受信を具体的に説明する。主空調機１１および従空調機１２は、電源線Ｌ１、通信線Ｌ２および共用線Ｌ３で互いに接続され、電源線Ｌ１と共用線Ｌ３との間に商用電源ＰＳが接続されると、シリアル信号の送受信が可能になる。
【０１１６】
主空調機１１が従空調機１２にシリアル信号を送信する場合、主制御部２８は、従空調機１２に送信するシリアル信号を端子ＴＢに出力する。
【０１１７】
このとき、主制御部２８が端子ＴＢにハイレベルの電圧を出力することにより、フォトダイオード２４２ａが発光し、フォトトランジスタ２４２ｂが導通し、信号電流Ｉｓが流れる。
【０１１８】
一方、主制御部２８が端子ＴＢにローレベルの電圧を印加すると、フォトダイオード２４２ａが発光せず、フォトトランジスタ２４２ｂはオフし、信号電流Ｉｓは流れない。こうして、主制御部２８が出力するシリアル信号に応じた信号電流Ｉｓが、通信線Ｌ２を介して、従空調機１２に伝達される。
【０１１９】
従空調機１２が主空調機１１から送信されたシリアル信号を受信する場合、図７に示す従制御部３７は、電流信号Ｉｓが通信線Ｌ２から共用線Ｌ３に流れるように（従受信部３３で電流信号Ｉｓが受信できるように）、端子ＳＢにハイレベルの電圧を出力し続け、フォトトランジスタ３４２ｂを導通させ続ける。
【０１２０】
この状態で、通信線Ｌ２に信号電流Ｉｓが流れると、信号電流Ｉｓは、従受信部３３のフォトダイオード３３１ａに流れる。よって、従受信部３３は、ローレベルの受信信号を従制御部３７に出力する。
【０１２１】
一方、通信線Ｌ２に信号電流Ｉｓが流れていない場合、従受信部３３のフォトダイオード３３１ａに信号電流Ｉｓが流れない。よって、従受信部３３は、ハイレベルの受信信号を従制御部３７に出力する。
【０１２２】
上述のようにして、主空調機１１は、シリアル信号を従空調機１２に送信する。また、従空調機１２は、主空調機１１からのシリアル信号を受信する。
【０１２３】
主空調機１１から従空調機１２へのシリアル信号の送信が完了すると、主制御部２８は、送信完了を示すシリアル信号を端子ＴＢに出力して、送信完了信号を主送信部２４に送信させる。その後、主制御部２８は、通信電圧を出力する通信用電源部２２の端子ＴＰ１と通信線Ｌ２とを導通させるために（主受信部２５で電流信号Ｉｓが受信できるように）、端子ＴＢにハイレベルの電圧を出力し続け、フォトトランジスタ２４２ｂを導通させ続ける。
【０１２４】
一方、従制御部３７は、送信完了信号を受信すると、従送信部３４に出力し続けたハイレベルの電圧をローレベルにする。その後、従制御部３７は、主空調機１１に送信するシリアル信号を端子ＳＢに出力する。
【０１２５】
このとき、従制御部３７が端子ＳＢにハイレベルの電圧を出力することにより、フォトダイオード３４２ａが発光し、フォトトランジスタ３４２ｂが導通し、信号電流Ｉｓが流れる。
【０１２６】
一方、従制御部３７が端子ＴＢにローレベルの電圧を印加すると、フォトダイオード３４２ａが発光せず、フォトトランジスタ３４２ｂはオフし、信号電流Ｉｓは流れない。こうして、従制御部３７が出力するシリアル信号に応じた信号電流Ｉｓが、主空調機１１に流れる。
【０１２７】
主空調機１１に信号電流Ｉｓが流れると、信号電流Ｉｓは、主受信部２５のフォトダイオード２５１ａに流れる。よって、主受信部２５は、ローレベルの受信信号を主制御部２８に出力する。
【０１２８】
一方、主空調機１１に信号電流Ｉｓが流れていない場合、主受信部２５のフォトダイオード２５１ａに信号電流Ｉｓが流れない。よって、主受信部２５は、ハイレベルの受信信号を主制御部２８に出力する。
【０１２９】
上述のようにして、従空調機１２は、シリアル信号を主空調機１１に送信する。また、主空調機１１は、従空調機１２からのシリアル信号を受信する。
【０１３０】
従空調機１２から主空調機１１へのシリアル信号の送信が完了すると、従制御部３７は、送信完了を示すシリアル信号を端子ＳＢに出力して、送信完了信号を従送信部３４に送信させる。その後、従制御部３７は、電流信号Ｉｓが通信線Ｌ２から共用線Ｌ３に流れるように（従受信部３３で電流信号Ｉｓが受信できるように）、端子ＳＢにハイレベルの電圧を出力し続け、フォトトランジスタ３４２ｂを導通させ続ける。
【０１３１】
（商用電源ＰＳが誤接続された場合）
通信線Ｌ２と共用線Ｌ３との間に商用電源ＰＳを誤接続した場合の従空調機１２の保護動作および主空調機１１の保護動作について説明する。
【０１３２】
通信線Ｌ２の電位が共用線Ｌ３の電位より高い場合、主空調機１１の整流ダイオード２６は、通信線Ｌ２から抵抗Ｒ１に向かって流れる電流を遮断する。これにより、主保護部２３、主送信部２４および主受信部２５に逆電圧が印加されることを防止できる。
【０１３３】
また、通信線Ｌ２の電位が共用線Ｌ３の電位より高い場合、通信線Ｌ２、整流ダイオード３２、抵抗Ｒ７、従受信部３３のフォトダイオード３３１ａ、従送信部３４のツェナーダイオード３４１、従保護部３５のトランジスタＴＲ４のエミッタ−コレクタパス、その整流ダイオードＤ２、その抵抗Ｒ９および共用線Ｌ３で構成される閉回路が形成される。
【０１３４】
この閉回路を流れる信号電流Ｉｓが所定値以上に増大すると、トランジスタＴＲ５は、抵抗Ｒ９の両端電圧の両端電圧がトランジスタＴＲ５のオン電圧（約０．６ボルト）と均衡を保つように、コレクタ−エミッタ間電圧を変化させる。これにより、トランジスタＴＲ５は、トランジスタＴＲ４のベース−エミッタ間電圧を調整する。このようにして、電流制限制御部３５１は、通信回路（従受信部３３および従送信部３４）を流れる電流Ｉｓの上限を制限する。
【０１３５】
また、電流制限制御部３５１が信号電流Ｉｓを制限すると、抵抗Ｒ１０と抵抗Ｒ１１との直列抵抗の両端電圧が上昇する。そして、この両端電圧の分圧電圧である抵抗Ｒ１０の両端電圧が、トランジスタＴＲ６のベース−エミッタ間のオン電圧（約０．６ボルト）を超えると、従保護部３５の負荷制限部３５２は、トランジスタＴＲ６をオンして、そのエミッタ−コレクタ間を導通状態にする。
【０１３６】
これにより、トランジスタＴＲ４のベース−エミッタ間の電圧が降下し、トランジスタＴＲ４が遮断状態になり、トランジスタＴＲ４のコレクタ電流（信号電流Ｉｓ）が遮断される。
【０１３７】
上述した従空調機１２の動作は、従制御部３７の制御が不要である。よって、従制御部３７に異常が発生して、従制御部３７が正しく動作しない場合であっても、従保護部３５は、整流ダイオード３２、従受信部３３および従送信部３４を過電流から保護できる。
【０１３８】
また、従保護部３５は、通信線Ｌ２と共用線Ｌ３との間に商用電源ＰＳが誤って接続された場合に形成される閉回路の回路内に配置されているので、閉回路に流れる過電流を制限できる。
【０１３９】
一方、通信線Ｌ２の電位が共用線Ｌ３の電位より低い場合、共用線Ｌ３、通信用電源部２２のツェナーダイオード２２２、主保護部２３の抵抗Ｒ３、その整流ダイオードＤ２、そのトランジスタＴＲ１のエミッタ−コレクタパス、主送信部２４のツェナーダイオード２４１、主受信部２５、抵抗Ｒ１、整流ダイオード２６および通信線Ｌ２で構成される閉回路が形成される。
【０１４０】
この閉回路を流れる信号電流Ｉｓが所定値以上に増大すると、トランジスタＴＲ２は、抵抗Ｒ３の両端電圧の両端電圧がトランジスタＴＲ２のオン電圧（約０．６ボルト）と均衡を保つように、コレクタ−エミッタ間電圧を変化させる。これにより、トランジスタＴＲ２は、トランジスタＴＲ１のベース−エミッタ間電圧を調整する。このようにして、電流制限制御部２３１は、通信回路（主送信部２４および主受信部２５）を流れる電流Ｉｓの上限を制限する。
【０１４１】
また、電流制限制御部２３１が信号電流Ｉｓを制限すると、抵抗Ｒ４と抵抗Ｒ５との直列抵抗の両端電圧が上昇する。そして、この両端電圧の分圧電圧である抵抗Ｒ４の両端電圧が、トランジスタＴＲ３のベース−エミッタ間のオン電圧（約０．６ボルト）を超えると、従保護部２３の負荷制限部２３２は、トランジスタＴＲ３をオンし、そのエミッタ−コレクタ間を導通状態にする。
【０１４２】
これにより、トランジスタＴＲ１のベース−エミッタ間の電圧が降下し、トランジスタＴＲ１が遮断状態になり、トランジスタＴＲ１のコレクタ電流（信号電流Ｉｓ）が遮断される。
【０１４３】
以上説明したように、本実施の形態の主空調機１１と従空調機１２とによれば、通信回路（主送信部２４および主受信部２５、従受信部３３および従送信部３４）に流れる信号電流Ｉｓの上限を制限する電流制限制御部２３１，３５１を、主空調機１１と従空調機１２とに搭載することで、商用電源ＰＳの誤接続時に発生する過電流から、通信回路を保護することができる。
【０１４４】
また、電流制限制御部２３１は、トランジスタＴＲ２で構成されているので、正特性サーミスタと比較して高速に過電流を制限でき、より安全な保護動作が可能である。同様に、電流制限制御部３５１は、トランジスタＴＲ５で構成されているので、正特性サーミスタと比較して高速に過電流を制限でき、より安全な保護動作が可能である。
【０１４５】
また、負荷制限部２３２（３５２）が所定以上の過電圧を検出した場合、トランジスタＴＲ１（ＴＲ４）を強制的に遮断状態にし、信号電流Ｉｓを遮断する。よって、トランジスタＴＲ１（ＴＲ４）に、安価な低許容コレクタ損失のトランジスタを使用することが可能となる。また、トランジスタＴＲ１（ＴＲ４）の放熱を実現する回路設計が容易である。
【０１４６】
また、主送信部２４および従送信部３４のオン・オフ状態に関わらず、主保護部２３および従保護部３５は、過電圧や過電流から回路部品を保護する。よって、ソフトウェアの暴走により主制御部２８および従制御部３７がどのようなシリアル信号を、主送信部２４および従送信部３４に出力したとしても、主保護部２３および従保護部３５は、確実な回路保護を実現する。
【０１４７】
また、主送信部２４および従送信部３４のフォトカプラ２４２，３４２に並列にツェナーダイオード２４１，３４１を接続し、トランジスタＴＲ１，ＴＲ４に、高コレクタ耐圧品を使用しているので、フォトカプラ２４２，３４２は、通常のコレクタ耐圧のものを使用できる。ツェナーダイオード２４１，３４１またはトランジスタＴＲ１，ＴＲ４を有さない従来の主空調機および従空調機では、高コレクタ耐圧のフォトカプラを使用していた。しかし、このようなフォトカプラは高価であり、また製造されている機種数が少なく、高速通信を行うために必要な高速スイッチングを行える機種がないという問題がある。また、採用しているフォトカプラの製造が万一中止された場合、同等の性能を持つ代替品の選定が難しいという問題がある。しかし、本実施の形態の主空調機１１と従空調機１２では、通常のコレクタ耐圧のフォトカプラを使用できるため、このような問題を解消できる。
【０１４８】
以上、本発明の実施の形態を説明したが、この発明は上述の実施の形態に限定されず、種々の変形および応用が可能である。
【０１４９】
上述した主保護部２３は、ＰＮＰ型のトランジスタで構成されていたが、これに限られるものではない。上述したロジックを実現する主保護部２３を、ＮＰＮ型のトランジスタで構成してもよい。
【０１５０】
また、上述した従保護部３５は、ＮＰＮ型のトランジスタで構成されていたが、これに限られるものではない。上述したロジックを実現する従保護部３５を、ＰＮＰ型のトランジスタで構成してもよい。
【０１５１】
また、主保護部２３のトランジスタＴＲ１は、１素子であったが、２素子以上で構成してもよい。例えば、主保護部２３のトランジスタＴＲ１を２素子で構成する場合、第１素子のエミッタを、整流ダイオードＤ１のカソードに接続し、第１素子のコレクタを、第２素子のエミッタに接続する。また、第１素子のベースおよび第２素子のベースを抵抗Ｒ６の一端に接続する。そして、第２素子のコレクタを、端子ＴＰ３および負荷制限部２３２に接続すればよい。同様にして、従保護部３５のトランジスタＴＲ４を２素子以上で構成してもよい。
【０１５２】
上述した主保護部２３および従保護部３５は、バイポーラトランジスタで構成されていたが、これに限られるものではない。すなわち、主保護部２３および従保護部３５を、電界効果トランジスタで構成してもよい。
【０１５３】
主保護部２３を電界効果トランジスタで構成する場合は、ＰＮＰ型トランジスタＴＲ２〜ＴＲ３を、図１１に示すように、Ｎ型の電界効果トランジスタＦＥＴ１〜ＦＥＴ３に代える。そして、電界効果トランジスタＦＥＴ１のゲートを、抵抗Ｒ３の他端、整流ダイオードＤ１のアノードおよび負荷制限部２３２に接続する。電界効果トランジスタＦＥＴ１のソースを、抵抗Ｒ３の一端に接続する。電界効果トランジスタＦＥＴ１のドレインを、誤接続検出部２３３、抵抗Ｒ６の一端および電界効果トランジスタＦＥＴ２のゲートに接続する。
【０１５４】
また、電界効果トランジスタＦＥＴ２のソースを、整流ダイオードＤ１のカソードに接続する。電界効果トランジスタＦＥＴ２のドレインを、負荷制限部２３２および端子ＴＰ３に接続する。
【０１５５】
また、電界効果トランジスタＦＥＴ３のゲートを、抵抗Ｒ４の他端および抵抗Ｒ５の一端に接続する。電界効果トランジスタＦＥＴ３のソースを、抵抗Ｒ４の一端、抵抗Ｒ３の他端、整流ダイオードＤ１のアノードおよび電界効果トランジスタＦＥＴ１のゲートに接続する。電界効果トランジスタＦＥＴ３のドレインを、フォトダイオード２３２ａのアノードに接続すればよい。
【０１５６】
上述した構成の場合、次のように動作する。商用電源ＰＳが電源線Ｌ１と共用線Ｌ３との間に接続されると、通信用電源部２２の端子ＴＰ２から通信電圧が出力される。この状態で、主送信部２４が信号電流Ｉｓを流すと、信号電流Ｉｓは、通信用電源部２２  →  端子ＴＰ２  →  抵抗Ｒ３  →  整流ダイオードＤ１  →  電界効果トランジスタＦＥＴ１のソース−ドレインパス  →  端子ＴＰ３  →  主送信部２４に流れる。この状態は正常な状態である。
【０１５７】
一方、何らかの原因で（例えば、商用電源ＰＳが誤って通信線Ｌ２と共用線Ｌ３との間に誤接続された場合等で）、信号電流Ｉｓが増加すると、その増加に伴い、抵抗Ｒ３での電圧降下が増大する。このとき、電界効果トランジスタＦＥＴ２は、抵抗Ｒ３の両端電圧が電界効果トランジスタＦＥＴ２のゲート−ソース間電圧のオン電圧と均衡状態を保つように、電界効果トランジスタＦＥＴ２のドレイン−ソース間電圧を変化させて、電界効果トランジスタＦＥＴ２のゲート−ソース間電圧の調整を行う。このため、主送信部２４に流れる電流Ｉｓの上限を制限できる。
【０１５８】
また、電流制限制御部２３１が信号電流Ｉｓの上限を制限すると、抵抗Ｒ４と抵抗Ｒ５との直列抵抗の両端電圧が上昇する。そして、この両端電圧の分圧電圧である抵抗Ｒ４の両端電圧が、電界効果トランジスタＦＥＴ３のソース−ドレイン間のオン電圧（約０．６ボルト）を超えると、負荷制限部２３２は、電界効果トランジスタＦＥＴ３をオンして、そのソース−ドレイン間を導通状態にする。
【０１５９】
これにより、電界効果トランジスタＦＥＴ１のゲート−ソース間電圧が降下し、電界効果トランジスタＦＥＴ１が遮断状態になり、電界効果トランジスタＦＥＴ１のドレイン電流（信号電流Ｉｓ）が遮断される。
【０１６０】
同様にして、従保護部３５を電界効果トランジスタで構成してもよい。
【０１６１】
また、主保護部２３は、通信用電源部２２と主通信部２４との間に設置されたが、これに限られるものではない。主保護部２３の設置位置は、例えば、主送信部２３と主受信部２４との間、または主受信部２５と抵抗Ｒ１との間等、どこでもよい。
【０１６２】
同様に、従保護部３５は、従送信部３４と共用線Ｌ３との間に設置されたが、これに限られるものではない。従保護部３５の設置位置は、例えば、抵抗Ｒ７と従受信部３３との間、または従受信部３３と従送信部３４との間等、どこでもよい。
【０１６３】
また、主送信部２４のフォトトランジスタ２４２ｂと従送信部のフォトトランジスタ３４２ｂとには、フォトトランジスタ２４２ｂ，３４２ｂに印加される電圧を制限するツェナーダイオード２４１，３４１がフォトトランジスタ２４２ｂ，３４２ｂの電流路に並列接続されたが、これに限られるものではない。主送信部２４のフォトトランジスタ２４２ｂと従送信部のフォトトランジスタ３４２ｂとには、ツェナーダイオード以外にも、フォトトランジスタ２４２ｂ，３４２ｂに印加される電圧を制限できる。例えば定電圧回路を、フォトトランジスタ２４２ｂ，３４２ｂの電流路に並列に接続してもよい。
【０１６４】
また、主空調機１１は、例えば室外機であり、従空調機１２は、例えば室内機であったが、これに限られるものではない。主空調機１１は、例えば空調コントローラであり、従空調機１２は、空調コントローラで制御される例えば送風機であってもよい。このように、主空調機１１および従空調機１２の組み合わせは限定されない。
【０１６５】
本発明は、本発明の広義の思想と範囲を逸脱することなく、様々な実施の形態および変形が可能とされるものである。また、上述した実施の形態は、本発明を説明するためのものであり、本発明の範囲を限定するものではない。すなわち、本発明の範囲は、上述した実施の形態ではなく、請求の範囲によって示される。そして、請求の範囲内およびそれと同等の発明の意義の範囲内で施される様々な変形が、本発明の範囲内とみなされる。
【符号の説明】
【０１６６】
１０  空調システム、１１  主空調機、１２  従空調機、２１  主制御用電源部、２２  通信用電源部、２３  主保護部、２４  主送信部、２５  主受信部、２６，３２，３６  整流ダイオード、２７  ターミネータ部、２８  主制御部、３１  従制御用電源部、３３  従受信部、３４  従送信部、３５  従保護部、３７  従制御部、ＰＳ  商用電源、ＴＲ１〜ＴＲ５  トランジスタ。
【図１】
2014184878.tif 000003
【図２】
2014184878.tif 000004
【図３】
2014184878.tif 000005
【図４】
2014184878.tif 000006
【図５】
2014184878.tif 000007
【図６】
2014184878.tif 000008
【図７】
2014184878.tif 000009
【図８】
2014184878.tif 000010
【図９】
2014184878.tif 000011
【図１０】
2014184878.tif 000012
【図１１】
2014184878.tif 000013
【手続補正書】
【提出日】平成27年7月16日(2015.7.16)
【手続補正１】
【補正対象書類名】明細書
【補正対象項目名】００１１
【補正方法】変更
【補正の内容】
【００１１】
上記目的を達成するために、この発明に係る、通信線に過電流が流れることを防止する保護装置は、通信線、電源線、および共用線の３線からなる接続線で複数の空調機が互いに接続された空調システムに備えられる。第１のトランジスタは、電流路が通信線に直列に接続されている。電流制限制御部は、第１のトランジスタの電流路に流れる電流が設定電流以上となったときに、電流路の抵抗値が増加するように、第１のトランジスタを制御することにより電流路に流れる電流を制限する。
【手続補正２】
【補正対象書類名】特許請求の範囲
【補正対象項目名】全文
【補正方法】変更
【補正の内容】
【特許請求の範囲】
【請求項１】
通信線、電源線、および共用線の３線からなる接続線で複数の空調機が互いに接続された空調システムの保護装置であって、
電流路が前記通信線に直列に接続された第１のトランジスタと、
前記第１のトランジスタの電流路に流れる電流が設定電流以上となったときに、前記電流路の抵抗値が増加するように、前記第１のトランジスタを制御することにより前記電流路に流れる電流を制限する電流制限制御部と、
を備え、前記通信線に過電流が流れることを防止する保護装置。
【請求項２】
通信線、電源線、および共用線の３線からなる接続線で複数の空調機が互いに接続された空調システムの保護装置であって、
電流路が前記通信線に直列に接続された第１のトランジスタと、
前記第１のトランジスタの電流路の両端間の電圧が設定電圧以上となったときに、前記第１のトランジスタをオフさせる電流遮断制御部と、
を備え、前記通信線に過電流が流れることを防止する保護装置。
【請求項３】
前記第１のトランジスタの電流路の両端間の電圧が設定電圧以上となったときに、前記第１のトランジスタをオフさせる電流遮断制御部、を備える、
請求項１に記載の保護装置。
【請求項４】
前記電流遮断制御部は、前記第１のトランジスタの電流路の両端間の電圧に対応する電圧が印加され、前記両端間の電圧が設定電圧以上になったときにオンすることにより、前記第１のトランジスタの電流路の抵抗値を制御する制御端子間に印加される電圧を降下させて、前記第１のトランジスタをオフさせる第２のトランジスタから構成されている、
請求項２または３に記載の保護装置。
【請求項５】
前記第２のトランジスタは、電流路の一端が前記第１のトランジスタの電流路の一端に接続され、電流路の他端が前記第１のトランジスタの電流路の抵抗値を制御する制御端子に接続され、前記第１のトランジスタの電流路の両端間の電圧に対応する電圧が第２のトランジスタを制御する制御端子間に印加され、前記第１のトランジスタの電流路の両端間に発生した電圧が設定電圧以上になったときにオンすることにより、前記第１のトランジスタの制御端子間に印加される電圧を降下させて、前記第１のトランジスタをオフさせる、
請求項４に記載の保護装置。
【請求項６】
前記電流遮断制御部は、前記第１のトランジスタの電流路の両端間の電圧に対応する電圧が印加され、前記両端間の電圧が設定電圧以上になったときにオンすることにより、前記第１のトランジスタの電流路の抵抗値を制御する制御端子間に印加される電圧を降下させて、前記第１のトランジスタをオフさせる第２のトランジスタから構成されており、
前記第２のトランジスタは、電流路の一端が前記第１のトランジスタの電流路の一端に接続され、電流路の他端が前記第１のトランジスタの電流路の抵抗値を制御する制御端子に接続され、前記第１のトランジスタの電流路の両端間の電圧に対応する電圧が第２のトランジスタを制御する制御端子間に印加され、前記第１のトランジスタの電流路の両端間に発生した電圧が設定電圧以上になったときにオンすることにより、前記第１のトランジスタの制御端子間に印加される電圧を降下させて、前記第１のトランジスタをオフさせ、
前記電流制限制御部は、前記第１のトランジスタの電流路に流れる電流に対応する電圧が印加され、前記第１のトランジスタの電流路に流れる電流が設定電流以上になったときにオンすることにより、前記第１のトランジスタの電流路の抵抗値を制御する制御端子間に印加される電圧を降下させて、前記第１のトランジスタの電流路の抵抗値を増加させる第３のトランジスタから構成されている、
請求項３に記載の保護装置。
【請求項７】
前記電流制限制御部は、前記第１のトランジスタの電流路に流れる電流に対応する電圧を前記第３のトランジスタを制御する制御端子間に印加する抵抗を備え、
前記第３のトランジスタは、前記第１のトランジスタの電流路に流れる電流が設定電流以上になったときにオンすることにより、前記第１のトランジスタの電流路の抵抗値を制御する制御端子間に印加される電圧を降下させて、前記第１のトランジスタの電流路の抵抗値を増加させる、
請求項６に記載の保護装置。
【請求項８】
前記第２のトランジスタがオンされたときに流れる電流がフォトダイオードに導通されることで、フォトトランジスタに信号を出力させる第１のフォトカプラを備える、
請求項７に記載の保護装置。
【請求項９】
外部からの信号に応じて電流が流れるフォトダイオードおよびフォトダイオードの発光で電流路が導通され、その電流路が通信線に直列に接続されたフォトトランジスタを有する第２のフォトカプラと、
前記第２のフォトカプラのフォトトランジスタの電流路に並列に接続され、前記第２のフォトカプラのフォトトランジスタの電流路に印加される電圧を制限する電圧制限部と、
を備える請求項８に記載の保護装置。
【請求項１０】
前記通信線に電源が接続された場合に形成される閉回路の回路内に配置される、
請求項９に記載の保護装置。
【請求項１１】
前記保護装置は、主空調機と従空調機とに搭載される、
請求項１から１０のいずれか１項に記載の保護装置。
【請求項１２】
通信線、電源線、および共用線の３線からなる接続線で複数の空調機が互いに接続された空調システムの保護装置の保護方法であって、
電流路が前記通信線に直列に接続された第１のトランジスタの前記電流路に流れる電流が設定電流以上となったときに、前記電流路の抵抗値が増加するように、前記第１のトランジスタを制御することにより前記電流路に流れる電流を制限する電流制限ステップ、
を含む、前記通信線に過電流が流れることを防止する保護方法。
【請求項１３】
通信線、電源線、および共用線の３線からなる接続線で複数の空調機が互いに接続された空調システムの保護装置の保護方法であって、
電流路が前記通信線に直列に接続された第１のトランジスタの前記電流路の両端間の電圧が設定電圧以上となったときに、前記第１のトランジスタをオフさせることにより、電流を遮断する電流遮断制御ステップ、
を含む、前記通信線に過電流が流れることを防止する保護方法。
【手続補正書】
【提出日】平成28年11月10日(2016.11.10)
【手続補正１】
【補正対象書類名】明細書
【補正対象項目名】００１１
【補正方法】変更
【補正の内容】
【００１１】
上記目的を達成するために、この発明に係る、通信線に過電流が流れることを防止する保護装置は、通信線、電源線、および共用線の３線からなる接続線で複数の空調機が互いに接続された空調システムに備えられる。第１のトランジスタは、電流路が通信線に直列に接続されている。電流制限制御部は、第１のトランジスタの電流路に流れる電流が設定電流以上となったときに、電流路の抵抗値が増加するように、第１のトランジスタを制御することにより電流路に流れる電流を制限する。電流遮断制御部は、第１のトランジスタの電流路の両端間の電圧が設定電圧以上となったときに、第１のトランジスタをオフさせる。
【手続補正２】
【補正対象書類名】特許請求の範囲
【補正対象項目名】全文
【補正方法】変更
【補正の内容】
【特許請求の範囲】
【請求項１】
通信線、電源線、および共用線の３線からなる接続線で複数の空調機が互いに接続された空調システムの保護装置であって、
電流路が前記通信線に直列に接続された第１のトランジスタと、
前記第１のトランジスタの電流路に流れる電流が設定電流以上となったときに、前記電流路の抵抗値が増加するように、前記第１のトランジスタを制御することにより前記電流路に流れる電流を制限する電流制限制御部と、
前記第１のトランジスタの電流路の両端間の電圧が設定電圧以上となったときに、前記第１のトランジスタをオフさせる電流遮断制御部と、
を備え、前記通信線に過電流が流れることを防止する保護装置。
【請求項２】
前記電流遮断制御部は、前記第１のトランジスタの電流路の両端間の電圧に対応する電圧が印加され、前記両端間の電圧が設定電圧以上になったときにオンすることにより、前記第１のトランジスタの電流路の抵抗値を制御する制御端子間に印加される電圧を降下させて、前記第１のトランジスタをオフさせる第２のトランジスタから構成されている、
請求項１に記載の保護装置。
【請求項３】
前記第２のトランジスタは、電流路の一端が前記第１のトランジスタの電流路の一端に接続され、電流路の他端が前記第１のトランジスタの電流路の抵抗値を制御する制御端子に接続され、前記第１のトランジスタの電流路の両端間の電圧に対応する電圧が第２のトランジスタを制御する制御端子間に印加され、前記第１のトランジスタの電流路の両端間に発生した電圧が設定電圧以上になったときにオンすることにより、前記第１のトランジスタの制御端子間に印加される電圧を降下させて、前記第１のトランジスタをオフさせる、
請求項２に記載の保護装置。
【請求項４】
前記電流制限制御部は、前記第１のトランジスタの電流路に流れる電流に対応する電圧が印加され、前記第１のトランジスタの電流路に流れる電流が設定電流以上になったときにオンすることにより、前記第１のトランジスタの電流路の抵抗値を制御する制御端子間に印加される電圧を降下させて、前記第１のトランジスタの電流路の抵抗値を増加させる第３のトランジスタから構成されている、
請求項３に記載の保護装置。
【請求項５】
前記電流制限制御部は、前記第１のトランジスタの電流路に流れる電流に対応する電圧を前記第３のトランジスタを制御する制御端子間に印加する抵抗を備え、
前記第３のトランジスタは、前記第１のトランジスタの電流路に流れる電流が設定電流以上になったときにオンすることにより、前記第１のトランジスタの電流路の抵抗値を制御する制御端子間に印加される電圧を降下させて、前記第１のトランジスタの電流路の抵抗値を増加させる、
請求項４に記載の保護装置。
【請求項６】
前記第２のトランジスタがオンされたときに流れる電流がフォトダイオードに導通されることで、フォトトランジスタに信号を出力させる第１のフォトカプラを備える、
請求項５に記載の保護装置。
【請求項７】
外部からの信号に応じて電流が流れるフォトダイオードおよびフォトダイオードの発光で電流路が導通され、その電流路が通信線に直列に接続されたフォトトランジスタを有する第２のフォトカプラと、
前記第２のフォトカプラのフォトトランジスタの電流路に並列に接続され、前記第２のフォトカプラのフォトトランジスタの電流路に印加される電圧を制限する電圧制限部と、
を備える請求項６に記載の保護装置。
【請求項８】
前記通信線に電源が接続された場合に形成される閉回路の回路内に配置される、
請求項７に記載の保護装置。
【請求項９】
前記保護装置は、主空調機と従空調機とに搭載される、
請求項１から８のいずれか１項に記載の保護装置。
【請求項１０】
通信線、電源線、および共用線の３線からなる接続線で複数の空調機が互いに接続された空調システムの保護装置の保護方法であって、
電流路が前記通信線に直列に接続された第１のトランジスタの前記電流路に流れる電流が設定電流以上となったときに、前記電流路の抵抗値が増加するように、前記第１のトランジスタを制御することにより前記電流路に流れる電流を制限する電流制限ステップと、
前記第１のトランジスタの電流路の両端間の電圧が設定電圧以上となったときに、前記第１のトランジスタをオフさせることにより、電流を遮断する電流遮断制御ステップと、
を含む、前記通信線に過電流が流れることを防止する保護方法。
【国際調査報告】
2014184878.tif 000014
2014184878.tif 000015